(57)【要約】【課題】本発明は、組付け作業性の向上を図るとともにコストダウンを図った照明ユニットを提供することを目的とする。【解決手段】照明ユニット１は、バルブ２の電極２２に接続される一対の電極接触部３０と、一対の端子３２と、を備えた一対のバスバ３と、前記バルブ２の光を透過する板状のレンズ５と、前記レンズ５に設けられ、前記一対の端子３２を収容するハウジング６と、を備えている。前記バスバ３には、一端が前記レンズ５に向かって伸びたアーム３７が設けられ、前記レンズ５には、前記アーム３７の一端が圧入される凹部５ａが設けられている。【選択図】図１
2012218620.tif 000002
【特許請求の範囲】
【請求項１】
バルブの電極に接続される一対の電極接触部と、一対の端子と、を備えた一対のバスバと、
前記バルブの光を透過する板状のレンズと、
前記レンズに設けられ、前記一対の端子を収容するハウジングと、を備えた照明ユニットにおいて、
前記バスバには、一端が前記レンズに向かって伸びたアームが設けられ、
前記レンズには、前記アームの一端が圧入される凹部が設けられていることを特徴とする照明ユニット。
【請求項２】
前記バスバは、前記電極接触部と前記端子との間に端子固定部を備え、
前記端子固定部は、前記端子に対して直角に曲げられた直角部と、前記直角部の前記端子から離れた端部が前記端子と平行になるように曲げられた平行部と、からなり、
前記ハウジングは、複数の周壁によって構成された筒部と、前記筒部の一方の開口を塞ぐ壁部と、を備え、
前記筒部の前記レンズから離れた前記周壁には、前記端子、前記直角部及び前記平行部を挿通可能な形状の第１スリットが設けられ、
前記壁部には、前記第１スリットに連なり前記レンズに向かって伸びた第２スリットが設けられ、前記第２スリットの内側には前記平行部が位置付けられることを特徴とする請求項１に記載の照明ユニット。
【請求項３】
前記バスバは、前記アームが前記平行部に連なり、前記アームの一端は前記アームの他端よりも前記端子寄りであることを特徴とする請求項２に記載の照明ユニット。
【請求項４】
前記バスバは、前記アームの一端が前記レンズの表面に対して垂直であることを特徴とする請求項１乃至請求項３のうちいずれか一項に記載の照明ユニット。
【発明の詳細な説明】
【技術分野】
【０００１】
本発明は、例えば、移動体としての自動車の乗員室内を照明する照明ユニットに関する。
【背景技術】
【０００２】
自動車の乗員室内には該乗員室内を照明する照明装置が設けられる（例えば、特許文献１参照。）。
【０００３】
図６は、特許文献１に記載された照明装置を示す斜視図である。同図に示すように、従来の照明装置１０１は、バルブ１０２と、前記バルブ１０２の電極に接続される一対のバルブ保持部１３２が設けられた一対のバスバ１０３Ａ、１０３Ｂと、前記バルブ１０２からの光を透過する板状のレンズ１０４と、各バスバ１０３Ａ、１０３Ｂそれぞれに接続される一対の端子１５１と前記一対の端子１５１を収容するハウジング１５２とを有するコネクタ１０５と、を備えている。
【０００４】
上記レンズ１０４は、板状の本体部１４１と、一対のバスバ１０３を本体部１４１に固定するための一対のバスバ固定部１４２、１４３が設けられている。上記一対のバスバ固定部１４２、１４３は本体部１４１の長手方向Ｙの両端に設けられている。また、各バスバ固定部１４２、１４３の幅方向Ｘの両端には各一対の固定部１４２Ａ、１４２Ｂ、１４３Ａ、１４３Ｂが設けられている。各固定部１４２Ａ、１４２Ｂ、１４３Ａ、１４３Ｂそれぞれには凹部１４１ａが設けられている。各凹部１４１ａはバスバ１０３に設けられた４つの脚部１３１Ａ、１３１Ｂ、１３１Ｃ、１３１Ｄそれぞれが嵌入される。
【０００５】
上記一対のバスバ１０３Ａ、１０３Ｂは、一対のバルブ保持部１３２と、前記各バルブ保持部１３２から４つの固定部１４２Ａ、１４２Ｂ、１４３Ａ、１４３Ｂそれぞれに向かって伸びた４つの脚部１３１Ａ、１３１Ｂ、１３１Ｃ、１３１Ｄと、を備えている。４つの脚部１３１Ａ、１３１Ｂ、１３１Ｃ、１３１Ｄのうち、２つの脚部１３１Ｃ、１３１Ｄはバルブ１０２の発光部１２１側に設けられている。
【０００６】
上述した従来の照明装置１０１は以下の手順で組み立てられる。まず、予め、コネクタ１０５のハウジング１５２に一対の端子１５１を収容しておく。そして、一対のバルブ保持部１３２間にバルブ１０２の電極を挟み、一対のバスバ１０３Ａ、１０３Ｂとバルブ１０２の電極とを接続する。この状態で一対のバスバ１０３Ａ、１０３Ｂをレンズ１０４に近付けて、一対のバスバ１０３Ａ、１０３Ｂの各脚部１３１Ａ、１３１Ｂ、１３１Ｃ、１３１Ｄを各固定部１４２Ａ、１４２Ｂ、１４３Ａ、１４３Ｂそれぞれに嵌入するとともに、各バルブ保持部１３２と各端子１５１とを接続する。こうして、従来の照明装置１０１は組み立てられていた。
【先行技術文献】
【特許文献】
【０００７】
【特許文献１】特開２００３−２９１７２２号公報
【発明の概要】
【発明が解決しようとする課題】
【０００８】
しかしながら、上述した従来の照明装置１０１には以下に示す問題点があった。即ち、照明装置１０１は、バルブ１０２を一対のバルブ保持部１３２間に挟んだ状態で、一対のバスバ１０３Ａ、１０３Ｂの各脚部１３１Ａ、１３１Ｂ、１３１Ｃ、１３１Ｄを４つの固定部１４２Ａ、１４２Ｂ、１４３Ａ、１４３Ｂに同時に嵌入する作業が難しいことにより組付作業性が悪いという問題があった。また、各バスバ１０３Ａ、１０３Ｂは、４つの固定部１４２Ａ、１４２Ｂ、１４３Ａ、１４３Ｂを介してレンズ１０４に取り付けられているので、４つの固定部１４２Ａ、１４２Ｂ、１４３Ａ、１４３Ｂが設けられていることでレンズ１０４の構造が複雑になり高コスト化してしまう問題があった。
【０００９】
本発明は、上記課題に係る問題を解決することを目的としている。即ち、本発明は、組付け作業性の向上を図るとともにコストダウンを図った照明ユニットを提供することを目的とする。
【課題を解決するための手段】
【００１０】
請求項１に記載の本発明は、バルブの電極に接続される一対の電極接触部と、一対の端子と、を備えた一対のバスバと、前記バルブの光を透過する板状のレンズと、前記レンズに設けられ、前記一対の端子を収容するハウジングと、を備えた照明ユニットにおいて、  前記バスバには、一端が前記レンズに向かって伸びたアームが設けられ、前記レンズには、前記アームの一端が圧入される凹部が設けられていることを特徴とする。
【００１１】
請求項２に記載の本発明は、請求項１に記載の照明ユニットにおいて、前記バスバは、前記電極接触部と前記端子との間に端子固定部を備え、前記端子固定部は、前記端子に対して直角に曲げられた直角部と、前記直角部の前記端子から離れた端部が前記端子と平行になるように曲げられた平行部と、からなり、前記ハウジングは、複数の周壁によって構成された筒部と、前記筒部の一方の開口を塞ぐ壁部と、を備え、前記筒部の前記レンズから離れた前記周壁には、前記端子、前記直角部及び前記平行部を挿通可能な形状の第１スリットが設けられ、前記壁部には、前記第１スリットに連なり前記レンズに向かって伸びた第２スリットが設けられ、前記第２スリットの内側には前記平行部が位置付けられることを特徴とする。
【００１２】
請求項３に記載の本発明は、請求項２に記載の照明ユニットにおいて、前記バスバは、前記アームが前記平行部に連なり、前記アームの一端は前記アームの他端よりも前記端子寄りに設けられていることを特徴とする。
【００１３】
請求項４に記載の本発明は、請求項１乃至請求項３のうちいずれか一項に記載の照明ユニットにおいて、前記バスバは、前記アームの一端が前記レンズの表面に対して垂直であることを特徴とする。
【発明の効果】
【００１４】
請求項１記載の本発明によれば、バルブの電極に接続される一対の電極接触部と、一対の端子と、を備えた一対のバスバと、前記バルブの光を透過する板状のレンズと、前記レンズに設けられ、前記一対の端子を収容するハウジングと、を備えた照明ユニットにおいて、前記バスバには、一端が前記レンズに向かって伸びたアームが設けられ、前記レンズには、前記アームの一端が圧入される凹部が設けられているので、一対のアームをレンズの各凹部に圧入する容易な作業でバスバをレンズに組み付けるので組付け作業性の向上を図ることができる。また、バスバが従来の固定部を介さずともレンズに直接固定されるので、レンズに従来の固定部を設けないことにより、レンズの構成が簡素化し軽量化を図ることができるとともに材料削減によるコストダウンを図ることができる。よって、本発明は、組付け作業性の向上、及びコストダウンを図った照明ユニットを提供することができる。
【００１５】
請求項２記載の本発明によれば、前記バスバは、前記電極接触部と前記端子との間に端子固定部を備え、前記端子固定部は、前記端子に対して直角に曲げられた直角部と、前記直角部の前記端子から離れた端部が前記端子と平行になるように曲げられた平行部と、からなり、前記ハウジングは、複数の周壁によって構成された筒部と、前記筒部の一方の開口を塞ぐ壁部と、を備え、前記筒部の前記レンズから離れた前記周壁には、前記端子、前記直角部及び前記平行部を挿通可能な形状の第１スリットが設けられ、前記壁部には、前記第１スリットに連なり前記レンズに向かって伸びた第２スリットが設けられ、前記第２スリットの内側には前記平行部が位置付けられるので、端子、端子固定部及び電極接触部が連なる方向のうち、バスバが端子から電極接触部に向かう方向に押された際においても、直角部が壁部に当接するので、バスバが端子から電極接触部に向かう方向に動かされるのを防止できる。また、バスバがレンズ及びハウジングの２箇所に固定（２点固定）されることによりバスバを確実に固定できる。また、バスバを確実に固定できるので、バスバに接続されたバルブに伝わる振動を小さくできる。
【００１６】
請求項３記載の本発明によれば、前記バスバは、前記アームが前記平行部に連なり、前記アームの一端は前記アームの他端よりも前記端子寄りに設けられているので、アームがレンズ越しに乗員から見えてしまうことがなくなり、見栄えの向上を図ることができる。
【００１７】
請求項４記載の本発明によれば、前記バスバは、前記アームの一端が前記レンズの表面に対して垂直であり、バスバが端子、端子固定部及び電極接触部が連なる方向に動かされた際においても、バスバがレンズから引き抜かれる方向に力が発生しないので、バスバがレンズから引き抜かれるのを防止できる。
【図面の簡単な説明】
【００１８】
【図１】本発明の一実施の形態に係る照明ユニットを示す斜視図である。
【図２】図１に示された照明ユニットの分解斜視図である。
【図３】図１に示された照明ユニットにバルブが組み付けられた状態の一部断面を示す側面図である。
【図４】図２中のＩ−Ｉ線に沿う断面図である。
【図５】図３中のＩＩ−ＩＩ線に沿う断面図である。
【図６】従来の照明装置を示す斜視図である。
【発明を実施するための形態】
【００１９】
本発明の一実施の形態に係る照明ユニットを図１乃至図５を参照して説明する。上記照明ユニット１はバルブ２が組み付けられた状態で、自動車の車体パネルを覆う内装用壁材としてのルーフトリムに設けられたランプ装着用開口を覆うように取り付けられて、前記自動車の乗員室内を照明する装置である。
【００２０】
上記照明ユニット１は、図１、図２に示すように、バルブ２（図３に示す）に接続される一対のバスバ３と、バルブ２の光を透過する板状のレンズ５と、前記レンズ５に設けられたハウジング６と、を備えている。
【００２１】
上記一対のバスバ３は、図２に示すように、バルブ２に接続される一対の電極接触部３０と、前記一対の電極接触部３０それぞれに連なる端子固定部３１と、前記各端子固定部３１に連なる端子３２と、を備えている。各バスバ３は導電性の金属板に打ち抜き加工や曲げ加工が施されることで得られるものである。また、一対のバスバ３は各端子３２の板厚方向（矢印Ｘ方向）に沿って並んでいる。また、図１、図２などに示す、矢印Ｘ方向は一対のバスバ３が並ぶ方向を示し、矢印Ｙ方向は電極接触部３０、端子固定部３１及び端子３２が連なる方向を示し、矢印Ｚ方向は、矢印Ｙ方向と矢印Ｘ方向との双方向に対して直交する方向、及び一対のバスバ３がレンズ５に近付けられる方向を示している。
【００２２】
上記各電極接続部３０は、互いの間にバルブ２の電極２２を挟持する一対の電極挟持片３３と、これら一対の電極挟持片３３を連結する連結部３４と、を備えている。上記一対の電極挟持片３３は矢印Ｚに沿って互いに間隔をあけて設けられている。また、一対の電極挟持片３３は互いに近付く方向に凸に湾曲されており、これらの間に前述したバルブ２の電極２２が挿入されると、一対の電極挟持片３３とバルブ２の電極２２とが接続される。
【００２３】
上記端子固定部３１は、各端子３２に対して直角に曲げられた直角部３５と、前記直角部３５の端子３２から離れた端部が端子３２と平行になるように曲げられた平行部３６と、アーム３７と、を備えている。
【００２４】
上記直角部３５は矢印Ｘに沿っている。また、直角部３５は一対の端子３２が外側方向に曲げられることで形成されている。
【００２５】
上記平行部３６は矢印Ｙに沿っている。また平行部３６は直角部３５と前述した電極接続部３０の連結部３４との双方に連なっている。
【００２６】
上記アーム３７は平行部３６に連なり、一端がレンズ５に向かって伸びている。またアーム３７は平行部３６から離れるにしたがって端子３２に向かうように傾斜したアーム本体３８と、前記アーム本体３８に連なる圧入部３９と、を備えている。即ち、アーム３７（アーム本体３８）は、一端が他端よりも端子３２寄りに設けられている。
【００２７】
上記圧入部３９は、図２に示すように、レンズ５の表面に対して垂直な垂直部４０と、前記垂直部４０の幅方向（矢印Ｙ方向）の両端から突出した一対の係止部４１と、を備えている。各係止部４１は平面視が三角形状に形成されている。各係止部４１はアーム本体３８から離れるにしたがって垂直部４０に近付く方向に傾斜している。
【００２８】
上記レンズ５は絶縁性の樹脂から構成されている。また、レンズ５はバルブ２の光を透過する板状の本体部５０と、前記本体部５０の表面から突出し、前述したルーフトリムに設けられたランプ装着用開口に係止する係止片５１と、を一体に備えている。上記本体部５０は、矢印Ｙ方向の一端に係止片５１が設けられ、他端に後述するハウジング６が設けられている。また本体部５０は、図３に示すように、係止片５１とハウジング６との間にバルブ２が位置付けられる。また本体部５０の、係止片５１とハウジング６との間には、各アーム３７の圧入部３９が圧入される一対の凹部５ａが設けられている。一対の凹部５ａは矢印Ｘ方向に間隔をあけて設けられている。この凹部５ａは本体部５０の表面から凹に形成されている。また、凹部５ａの矢印Ｘ方向の寸法は圧入部３９の寸法よりも僅かに小さくなるように形成されている。
【００２９】
上記ハウジング６は絶縁性の樹脂から構成されている。またハウジング６は前述したレンズ５と一体に設けられている。このハウジング６は、図２、図３に示すように、４つの周壁６２、６３、６４、６５によって角筒状に形成された筒部６１と、前記筒部６１の一方の開口を塞ぐ壁部６６と、によって構成されている。上記筒部６１はその筒長さ方向と矢印Ｙ方向とが平行である。また、ハウジング６は他方の開口から矢印Ｙに沿って雌端子（図示しない）を有する給電用のコネクタが挿入される。
【００３０】
また、ハウジング６には、一対の第１スリット６２ａと、前記各第１スリット６２ａに連なる第２スリット６６ａと、が設けられている。これらスリット６２ａ、６６ａは、バスバ３の端子３２、直角部３５及び平行部３６を挿通させて、端子３２をハウジング６の内側に位置付ける（一対の端子３２をハウジング６に収容する）ために設けられている。一対の端子３２をハウジング６の内側に位置付けた後、ハウジング６の他方の開口から雌端子を有する給電用のコネクタが挿入されて、（雄）端子３２が雌端子に挿入される。こうして（雄）端子３２と雌端子とを電気的に接続する。
【００３１】
上記一対の第１スリット６２ａは、図１、図２に示すように、４つの周壁６２、６３、６４、６５のうち、レンズ５の表面から離れた天壁６２に設けられている。各第１スリット６２ａは、各バスバ３の端子３２、直角部３５及び平行部３６を挿通可能な形状に形成されている。
【００３２】
上記各第２スリット６６ａは、図４に示すように、壁部６６に設けられている。各第２スリット６６ａは、壁部６６の矢印Ｚ方向の中央部まで設けられている。即ち、第２スリット６６ａはレンズ５に向かって伸びている。
【００３３】
上述した照明ユニット１の組立手順を以下に説明する。
【００３４】
まず、予め、導電性の板金に打ち抜き加工や曲げ加工を施すことで、一対のバスバ３を形成する。また、レンズ５とハウジング６とを一体に形成しておく。次に、一対のバスバ３を矢印Ｘに沿って並べた状態で、各アーム３７を矢印Ｚに沿ってレンズ５に近付ける。そして、端子３２、直角部３５及び平行部３６を第１スリット６２ａに挿通させて、一対の端子３２をハウジング６の内側に位置付けるとともに、各アーム３７の圧入部３９を凹部５ａに圧入する。そして、図５に示すように、平行部３６を第２スリット６６ａの内側に位置付ける。こうして照明ユニット１を組み立てる。この照明ユニット１はバルブ２の電極２２を各一対の電極挟持片３３間に挿入して、バルブ２の電極２２と各一対の電極挟持片３３（一対の電極接触部３０）とを電気的に接続する。
【００３５】
上述した実施形態によれば、前記アーム３７が設けられ、前記レンズ５には、前記アーム３７の一端が圧入される凹部５ａが設けられているので、一対のアーム３７をレンズ５の各凹部５ａに圧入する容易な作業でバスバ３をレンズ５に組み付けるので組付け作業性の向上を図ることができる。また、バスバ３が従来の固定部１４２Ａ、１４２Ｂ、１４３Ａ，１４３Ｂを介さずともレンズ５に直接固定されるので、レンズ５に従来の固定部１４２Ａ、１４２Ｂ、１４３Ａ、１４３Ｂを設けないことにより、レンズ５の構成が簡素化し軽量化を図ることができるとともに材料削減によるコストダウンを図ることができる。
【００３６】
また、前記バスバ３は、前記電極接触部３０と前記端子３２との間に端子固定部３１を備え、前記端子固定部３１は、前記端子３２に対して直角に曲げられた直角部３５と、前記直角部３５の前記端子３２から離れた端部が前記端子３２と平行になるように曲げられた平行部３６と、からなり、前記ハウジング６は、複数の周壁６２、６３、６４、６５によって構成された筒部６１と、前記筒部６１の一方の開口を塞ぐ壁部６６と、を備え、前記筒部６１の前記レンズ５から離れた前記周壁としての天壁６２には、前記端子３２、前記直角部３５及び前記平行部３６を挿通可能な形状の第１スリット６２ａが設けられ、前記壁部６６には、前記第１スリット６２ａに連なり前記レンズ５に向かって伸びた第２スリット６６ａが設けられ、前記第２スリット６６ａの内側には前記平行部３６が位置付けられるので、端子３２、端子固定部３１及び電極接触部３０が連なる方向（矢印Ｙ方向）のうち、バスバ３が端子３２から電極接触部３０に向かう方向に押された際においても、直角部３５が壁部６６に当接するので、バスバ３が端子３２から電極接触部３０に向かう方向に動かされるのを防止できる。また、バスバ３がレンズ５及びハウジング６の２箇所に固定（２点固定）されることによりバスバ３を確実に固定できる。また、バスバ３を確実に固定できるので、バスバ３に接続されたバルブ２に伝わる振動を小さくできる。
【００３７】
また、前記バスバ３は、前記アーム３７が前記平行部３６に連なり、前記アーム３７の一端は前記アーム３７の他端よりも前記端子３２寄りに設けられているので、アーム３７がレンズ５越しに乗員から見えてしまうことがなくなり、見栄えの向上を図ることができる。
【００３８】
また、前記バスバ３は、前記アーム３７の一端が前記レンズ５の表面に対して垂直であり、バスバ３が端子３２、端子固定部３１及び電極接触部３０が連なる方向に動かされた際においても、バスバ３がレンズ５から引き抜かれる方向に力が発生しないので、バスバ３がレンズ５から引き抜かれるのを防止できる。
【００３９】
なお、上述した実施形態によれば、照明ユニット１はルーフトリムに取り付けられているが、本発明はこれに限ったものではなく、照明ユニット１はドア用のカーテシランプとして用いられてもよい。
【００４０】
また、上述した実施形態によれば、直角部３５は一対の端子３２よりも外側方向に曲げられることで形成されているが、本発明はこれに限ったものではなく、直角部３５は一対の端子３２よりも内側方向に曲げられることで形成されていてもよい。
【００４１】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４２】
１  照明ユニット
２  バルブ
３  （一対の）バスバ
５  レンズ
５ａ  凹部
６  ハウジング
２２  電極
３０  電極接触部
３１  端子固定部
３２  端子
３５  直角部
３６  平行部
３７  アーム
６１  筒部
６２  天壁（周壁）
６２ａ  第１スリット
６６  壁部
６６ａ  第２スリット
【図１】
2012218620.tif 000003
【図２】
2012218620.tif 000004
【図３】
2012218620.tif 000005
【図４】
2012218620.tif 000006
【図５】
2012218620.tif 000007
【図６】
2012218620.tif 000008